(57)【要約】      （修正有）【課題】従来方法の吹きつけ塗装は全て高圧気体の圧力により塗料を霧状にして吹きつけると言う方法のため、塗料の飛散防止の処置が大変であり主に外部の比較的空いた空間でしか行なう事が出来なかった。【解決手段】２つのローラーの間を塗料を通す事により安定した形、安定した量の塗料が２つの高速回転するローラーの遠心力により一方向にのみ飛びだし、霧状の塗料の一粒一粒が気体の力を借りずに飛び出すため飛散せず安定した塗装面を確保できる。これらの特徴により飛散防止処置が大巾に減少し、今まで不可であった状況の現場においても早く奇麗な仕上がりの吹きつけ塗装が可能となると言う事である。【選択図】    図１
2005000899.tif 000002
【特許請求の範囲】
【請求項１】
ローラーの高速回転による遠心力により塗料を霧状にして塗装面に吹きつけると言う構造を特徴とする塗装機。
【請求項２】
ローラーは実際に大部分の塗料を霧状にして吹き飛ばすメインローラーと塗料を平たく広げる役目、又塗料の粘度の違いを調整するための役目を担ったサブローラーの２個のローラーが一部分で密着して共に回転すると言う構造を特徴とする。
【請求項３】
回転するローラーから霧状に吹き出された塗料が、吹き出し口の対面の塗装面のみに当たり適切な範囲に適切な形、面積で吹き出されるために、塗料供給パイプをメインローラーとサブローラーの接点の直前に置き、塗料供給パイプに複数個あけた穴からメインローラーの上部の巾方向全域に塗料が流れ、サブローラーでの圧力で塗料が平坦均一になりメインローラーに付着した塗料がサブローラーとの接点を超えた所で遠心力により一気に対面方向に向かって飛び出す。又サブローラーで適正量に制御されているため接点より約３０度の角度までにすべての付着した塗料が飛びだし余計な所へ付着しないと言う構造を特徴とする。
【請求項４】
このように正確に塗料の吹き出し角度、面積、形を制御出来るため吹き出し口から角錘体の稼動式の遮蔽板を付ける事により塗装不可の部分の大部分において養生無しで吹きつけ塗装が可能になると言う特徴を有する。
【発明の詳細な説明】
【０００１】
【発明の属する技術分野】
本発明は塗装工事において今まで不可だった部分の吹きつけ塗装が可能となる新しい方式の吹きつけ塗装機に関するものである。
【０００２】
【従来の技術】
塗装工事においては従来から毛刷毛、ローラー刷毛、コテ刷毛、吹きつけ塗装機による吹きつけ塗装等が行なわれ、主に現場の状況に合わせてこれら処機具を使い分けて行なわれている。この内吹きつけ塗装がもっとも早く奇麗に仕上げる事が出来る。しかし吹きつけ塗装は余分な部分へ飛び散ると言う欠点を持っているため主に外部での塗装工事に使用されているがかなり念入りな養生と飛散防止策を行なった上で工事に着手しているのが現状である。
【０００３】
このように飛び散ると言う大きな欠点を有する吹きつけ塗装は内部での塗装工事にはほとんど使用されず各種刷毛により人の手によっておこなわれている。
【０００４】
【発明が解決しようとする課題】
一番早く奇麗に仕上がる主に外部塗装に用いられる吹きつけ塗装であるが、近年においては特に密集地、集合住宅等においては本来の塗装目的物以外の隣家、車、植木等にも飛散防止策を講じる必要があり、又塗料の匂い等防止がほとんど不可能な対策が増加し、それらの対策に必要な時間的材料的ロスが余りにも大きいため又これらの対策のためネットやシートを他人の住居に施す必要のため他人の生活を制限する必要があるために吹きつけ塗装が減少し刷毛による塗装が行なわれている。
【０００５】
本発明は以上の従来からの吹きつけ塗装の欠点を無くし、今までほとんど不可であった室内での吹きつけ塗装を可能とする新型吹きつけ塗装機を提供するものである。
【０００６】
【課題を解決するための手段】
新しい技術で作られた塗装機の吹きつけ方法は高速回転するローラーによる遠心力により塗料を霧状にし、霧状の一粒一粒が空気圧によらず遠心力で飛び出すため塗料が舞い上がる事なく余分な部分への飛散も起きない。
【０００７】
塗料を霧状に吹き出すと言う役割のメインローラーの上部の奥行きの中心のやや後方に約２０ミリ間隔で塗料供給穴を開けたローラーと同巾のパイプを平行に配する。パイプ穴から出た塗料はメインローラーの上部に接するように配されたサブローラーに圧縮され広く均等に拡散する。平均的に拡散された塗料は２つのローラーの接点を通り過ぎたとたんに前方に向かって霧状になって吹き飛び、約３０度程度回転した時に付着した塗料は全て前方に向かって吹き飛びその後は塗料の吹き飛びはなく、必要以外の所へは付着しない。
【０００８】
このように塗料が一定の飛び方をするため吹き出し口前方に可動式の角錘型をした塗料遮蔽板をとりつけ、遮蔽板を塗装不可部分に沿わして吹き出し口をその方向に少し振るだけで養生無しで吹きつけ塗装をする事が出来る。
【０００９】
【発明の実施の形態】
まず図１（Ａ）及び図２（Ｃ）（Ｄ）で塗料の流れを説明する。（１）の塗料タンクに貯められた塗料は（２）のフレキシブルパイプを通って（３）の塗料供給パイプへ導かれる。そしてそのパイプに開けられた複数の穴から塗料が流れ出し（５）の回転中のメインローラーの上に流れ落ちる。流れ落ちた瞬間には各穴の位置で帯状になるが、瞬間に（６）のサブローラーとの間で圧縮され横方向に広がり、又その圧により一定の量を含んだ横一線の塗料帯になる。そして２つのローラーの接点から出た瞬間に遠心力によりローラー表面から順に吹き飛ばされ約３０度回転した所で２つのローラーに付着した塗料は完全に吹き飛び残りは無くなる。この工程が高速で連続して行なわれる事により安定した吹きつけ塗装が可能となる。
【００１０】
塗装に使用する塗料は粘度の高い物から低い物まで色々存在する。それらに対応するため（７）のサブローラーの両側面に付いたナットで上下しメインローラーとの圧着度を変化させて対応する。又この粘度による調整は（４）の塗料流量調整ダイヤルによっても行なう事が出来る。
【００１１】
塗装面は大部分は正面が多いが、天井の塗装の場合は塗装機の吹き出し口を上に向ける必要がある。又床とか屋根の塗装には吹き出し口を下に向ける必要がある。その場合は図３のようにタンクを移動して対応する。（１）の位置は正面に向かっての塗装、（１’）の位置は下に向かっての塗装、（１”）の位置は上に向かっての塗装においてのタンク位置を示す物である。このようにタンク位置を移動可能とし全ての塗装面に対応している。
【００１２】
従来の吹きつけ塗装機は塗装面にほぼ円形で塗装されるが、この新塗装機はほぼ長方形で塗装される。そしてその面が安定しているため吹き出し口に（９）のような形状の遮蔽板を付けその遮蔽板を（Ｆ）のような角度で塗装不可面に沿わせて移動させる事により（１１）のような塗装不可面に塗料が付着せず（１０）の塗装面にのみ塗装することが可能となる。これにより大部分で養生なしでの塗装が可能となる。
【００１３】
【発明の効果】
以上の説明の通り従来方法での飛び散る事により今まで吹きつけ塗装不可であった現場に吹きつけ塗装が可能となり、又飛散防止ネット、付着防止養生の大部分を省く事が可能となり、今までほとんど実施されていなかった室内の塗装工事にも使用可能となり早く奇麗簡単な吹きつけ塗装工事が可能となる塗装機である。
【図面の簡単な説明】
【図１】（Ａ）は本発明の塗装機の側面の断面図である。（Ｂ）は本塗装機の斜視図である。
【図２】（Ｃ）は本塗装機の正面図、塗料吹き出し口の正面を表わし（５）（６）のローラーは実際に使用する場合の縮れた毛が表面を覆っている状態の２つのローラーを表わす。（Ｄ）は塗料タンクからパイプまでの塗料の流れを表わす斜視図である。
【図３】（Ｅ）（Ｆ）の矢印は霧状塗料の吹き出し範囲を表わす。（Ｅ）の（１）は正面に向かっての塗装時におけるタンクの位置を示す。（１’）は下に向かっての塗装時のタンクの位置を示す。（１”）は上に向かっての塗装時のタンクの位置を示す。（Ｆ）は上部に塗装不可部分がある場合の遮蔽板を使っての使用例を表わす。
【符号の説明】
（１）塗料貯蔵タンク
（２）フレキシブルパイプ
（３）塗料配分用パイプ
（４）塗料流量調整ダイアル
（５）メインローラー
（６）サブローラー
（７）サブローラー調整固定用ナット
（８）サブローラー調整用孔
（９）遮蔽板
（１０）塗装面
（１１）塗装不可部分
（１２）モーター
（１３）プーリー
（１４）ベルト
（１５）無断変速スイッチ
（１６）握り手
（１７）電源コード
【図１】
2005000899.tif 000003
【図２】
2005000899.tif 000004
【図３】
2005000899.tif 000005